(57)【特許請求の範囲】
【請求項１】
フレーム（１２）の左右中央に遠心式ブロワファン（２）を配置し、該遠心式ブロワファン（２）の一側部に電動モータ（５）を付設配置し、該遠心式ブロワファン（２）の他側部に吸引口を設け、該遠心式ブロワファン（２）の前方下側に送風口（７）を設け、該送風口（７）にはフレキシブルホース（８）の基部側端部が固設され、該フレキシブルホース（８）の先端側の端部においては吐出パイプ（９）を取付けてブロワパイプ部（３）を構成し、該フレーム（１２）に軸支部（１５・１５）を配置固定し、該軸支部（１５・１５）に車軸（１６）を架設枢支し、該フレーム（１２）の左右端部それぞれにおいて該車軸（１６）に車輪（１７・１７）を取り付け、前記遠心式ブロワファン（２）と左右の車輪（１７・１７）との間の２箇所のフレーム（１２）上に、２個のバッテリー（１８・１８）を載置し、該バッテリー（１８・１８）より前記電動モータ（５）に電力を供給することを特徴とする電動ブロワ。
【請求項２】
請求項１記載の電動ブロワにおいて、前記遠心式ブロワファン（２）のフレーム（１２）に対する取付角度を変更して、該遠心式ブロワファン（２）をフレーム（１２）に対して上下回動可能に支持連結したことを特徴とする電動ブロワ。
【請求項３】
請求項１記載の電動ブロワにおいて、前記フレーム（１２）に操作ハンドル（２１）を設け、該操作ハンドル（２１）をフレーム（１２）に対して上下回動可能に支持連結し、前記遠心式ブロワファン（２）のブロワパイプ部（３）をフレーム（１２）に対して左右回動可能に支持連結し、一方前記操作ハンドル（２１）にレバーを設け、該レバーと該ブロワパイプ部（３）をワイヤーで連動連結したことを特徴とする電動ブロワ。
【発明の詳細な説明】
【０００１】
【発明の属する技術分野】
本発明は、庭や工場敷地内等の清掃作業のために、落葉や塵屑等を吹き飛ばして掃除しやすい場所に集めるためのブロワの構造に関する。
【０００２】
【従来の技術】
従来から、庭等に落ちている落葉やゴミ等を吹き飛ばして掃除しやすい場所に集める等のために、ブロワを用いる技術は公知となっている。該ブロワは、機体本体に原動機及び該原動機により駆動されるファンを搭載するとともに、前記機体本体に送風口を設け、該送風口にブロワパイプを設け、前記原動機の駆動力による前記ブロワファンの回転に基づいて生起された圧風を高速空気流として前記ブロワパイプの先端から地面等へ向けて吐出するものであり、前記の吐出された高速空気流を利用して落葉、塵屑等を吹き飛ばして集めて清掃作業等を行うものである。
【０００３】
【発明が解決しようとする課題】
しかし、従来のブロワは、原動機として２サイクルガソリンエンジン等の内燃機関を用いていたため、作業時の騒音が大きく、作業者にとって不快であるばかりでなく、近隣に迷惑をかけることが多かった。また、内燃機関から排気が発生するので、作業者は悪環境下での作業を余儀なくされていた。
【０００４】
【課題を解決するための手段】
本発明の解決しようとする課題は以上の如くであり、次に該課題を解決するための手段を説明する。
【０００５】
請求項１においては、フレーム（１２）の左右中央に遠心式ブロワファン（２）を配置し、該遠心式ブロワファン（２）の一側部に電動モータ（５）を付設配置し、該遠心式ブロワファン（２）の他側部に吸引口を設け、該遠心式ブロワファン（２）の前方下側に送風口（７）を設け、該送風口（７）にはフレキシブルホース（８）の基部側端部が固設され、該フレキシブルホース（８）の先端側の端部においては吐出パイプ（９）を取付けてブロワパイプ部（３）を構成し、該フレーム（１２）に軸支部（１５・１５）を配置固定し、該軸支部（１５・１５）に車軸（１６）を架設枢支し、該フレーム（１２）の左右端部それぞれにおいて該車軸（１６）に車輪（１７・１７）を取り付け、前記遠心式ブロワファン（２）と左右の車輪（１７・１７）との間の２箇所のフレーム（１２）上に、２個のバッテリー（１８・１８）を載置し、該バッテリー（１８・１８）より前記電動モータ（５）に電力を供給するものである。
【０００６】
請求項２においては、請求項１記載の電動ブロワにおいて、前記遠心式ブロワファン（２）のフレーム（１２）に対する取付角度を変更して、該遠心式ブロワファン（２）をフレーム（１２）に対して上下回動可能に支持連結したものである。
【０００７】
請求項３においては、請求項１記載の電動ブロワにおいて、前記フレーム（１２）に操作ハンドル（２１）を設け、該操作ハンドル（２１）をフレーム（１２）に対して上下回動可能に支持連結し、前記遠心式ブロワファン（２）のブロワパイプ部（３）をフレーム（１２）に対して左右回動可能に支持連結し、一方前記操作ハンドル（２１）にレバーを設け、該レバーと該ブロワパイプ部（３）をワイヤーで連動連結したものである。
【０００８】
【発明の実施の形態】
次に、発明の実施例を説明する。図１は本発明の一実施例に係る電動ブロワの構成を示す側面図、図２は同じく上面図、図３は同じく正面図、図４は遠心式ブロワファンをフレームに固定する構成を示す説明図、図５は遠心式ブロワファン後部をフレーム後部に固定する構成を示す電動ブロワの後面一部切欠断面図、図６はハンドルの取付部分近傍の構成を示す斜視図、図７は同じくハンドルの取付部分近傍の構成を示す正面一部切欠断面図、図８はブロワのブロワパイプ部の構成を示した上面図である。
【０００９】
はじめに図１から図３までを用いて本実施例の全体構成について説明する。即ち、図１から図３までに示す電動ブロワ１は、遠心式ブロワファン２、ブロワパイプ部３、及びフレーム部４からなり、前記遠心式ブロワファン２の一側側部に原動機として電動モータ５が配置される。また、該電動モータ５と対向し、かつ、前記遠心式ブロワファン２の他側側部寄りの位置には遠心式ブロワファン（図示省略）が配置され、該ブロワファンは前記電動モータ５の出力軸に連動連結され、該電動モータ５により駆動回転するように構成している。
【００１０】
図２及び図３で示すように前記遠心式ブロワファン２は中空円盤状のカバー６で形成され、該カバー６は左右両側に二分割された左右のカバー６ａ・６ｂにより構成されている。このうち右側カバー６ｂには側面視中央位置に空気取り入れ開口（図示省略）が設けられ、該空気取り入れ開口より周囲の空気がカバー６内部に導かれ、前記遠心式ブロワファン２の回転により機体カバー６下側の前部に設けられた送風口７より前方に吐出される構成としている。
【００１１】
そして、該送風口７にはフレキシブルホース８の基部側端部が固設され、該フレキシブルホースの先端側の端部においては吐出パイプ９が取り付けられており、フレキシブルホース８及び吐出パイプ９の二者によってブロワパイプ部３を構成している。そして、図４及び図８に示すように（図４においては後述するように一定の部品の図示を省略している）、送風口７の上面には第一取付部材１０が該送風口７外周面の上側部分に沿って設けられ、該第一取付部材１０の正面視左右両端がそれぞれボルト１１・１１によってフレーム前端に螺設固定され、該送風口７近傍を後述するフレーム１２前端部の中央位置に固定している。
【００１２】
遠心式ブロワファン２のカバー６のうち左側カバー６ａには外側面に円板状のモータ取付板１３が固設され、該モータ取付板１３の側面中央部分の位置には電動モータ５が取り付けられている。そして、該電動モータ５の出力軸はモータ取付板１３の中心部分に設けられた開口（図示省略）を挿通してカバー６内部に突出して、該カバー６内において前記ブロワファンを連動連結している。そしてモータ取付板１３には、さらにその側面の後部下側位置において平板状の第二取付部材１４を固設している。
【００１３】
そして図２に示すように、該遠心式ブロワファン２は上面視Ｔ字状に形成したフレーム１２の対称軸上に載置されている。該フレームは「Ｔ」の字を構成する横棒の部分が前側に位置するように配置され、該遠心式ブロワファン２の送風口７付近を前述の第一取付部材１０によりフレーム１２前端に固定する一方、遠心式ブロワファン２の後部は、側面下側に固設された前述の第二取付部材によりフレーム１２後部に取り付けられている。
【００１４】
該フレーム１２の下面においては、軸支部１５・１５を正面視左右に一つずつ配置固定し、この二つの軸支部に車軸１６を架設して枢支し、フレーム１２前側の左右端部それぞれにおいて該車軸１６に車輪１７・１７を取り付け、該車輪１７・１７によって電動ブロワ１が前後方向に移動可能となるように構成している。なお、本実施例では左右二つの車輪１７・１７は相対的に回動不能となるよう車軸１６を介して連結されているが、左右二つの車輪１７・１７を相対的に回動可能に取り付けるよう構成して二つの車輪１７・１７の差動的な回転ができるようにして、電動ブロワ１の移動の際右折及び左折が容易となるようにすることもできる。そして遠心式ブロワファン２と左右の車輪１７・１７との間の位置にはバッテリー１８・１８をフレーム１２上にそれぞれ載置して、該バッテリー１８・１８は図示しない導線を介して前記電動モータ５に接続され、該電動モータ５に電力を供給している。
【００１５】
フレーム１２後部には、略Ｖ字状に形成されたハンドル支持体１９を正面視中央部分が後方上側となるよう配置し、その両端をフレーム１２の正面視左右側の後側端面に固設している。そして、該ハンドル支持体１９の正面視中央部分にはハンドル取付部２０が上方に突設され、該ハンドル取付部２０に電動ブロワ１を操作するためのハンドル２１を取り付けている。
【００１６】
前記ハンドル取付部２０近傍の構成を図６及び図７を用いて説明する。即ち、ハンドル２１の正面視中央部分には二枚のハンドル連結板２２ａ・２２ｂが、左右対称の位置に下方に向けて突設され、この二枚のハンドル連結板２２ａ・２２ｂで挟まれた空間に前述のハンドル取付部２０の上側部分を挿入している。また、二枚の前記ハンドル連結板２２ａ・２２ｂとハンドル取付部２０との間には二つのリング２３・２３が隙間のないよう配置されて、二枚のハンドル連結板２２ａ・２２ｂの下部及びハンドル取付部２０の上部には正面視左右方向に貫通孔が開口されている。そして、二枚の連結板２２ａ・２２ｂ、ハンドル取付部２０、及び二つのリング２３・２３は、左右一側のハンドル連結板２２ｂの外側からボルトを貫通して連結され、該ボルト２４の頭部は該一側のハンドル連結板２２ｂの外側面に回動不能に固定される。一方、他側のハンドル連結板２２ａの外側にはハンドル固定取手２５が配置され、該取手２５の軸心上には前記ボルト２４に係合するネジ孔を開口し、該ネジ孔にボルト２４の先端を螺装して固定することにより、ハンドル連結板２２ａ・２２ｂ及びハンドル取付部２０が連結された状態で固定される。
【００１７】
従って、該ハンドル固定取手２５をボルト２４が緩む方向に回転させた場合は、ボルト２４を軸心にハンドル２１が回動可能となってハンドル２１の角度が自在に変更でき、所望の角度となったときにハンドル固定取手２５を逆方向に回転させれば、ハンドル２１はボルト２４の締め付けにより該角度で固定されるので、ハンドル２１の角度が自由に調節できるのである。
【００１８】
ハンドル取付部２０上方のハンドル連結板２２ａ・２２ｂに挟まれた位置には作動スイッチ３３が配置されて二枚のハンドル連結板２２ａ・２２ｂに固定されており、該スイッチ３３は図示しない導線によって電動モータ５及びバッテリー１８に接続されていて、該スイッチ３３によって電動モータ５の作動を制御するようにしている。なお、このスイッチの配置は一例であり、他の配置も考え得るので、この実施例に限定するものではない。
【００１９】
次に、第二取付部材近傍の構成について、図４及び図５を用いて説明する。なお、図４においては、説明の便宜上、車輪、ハンドル支持体、バッテリー、スタンド、チューブその他の図示を省略している。即ち、前述のように遠心式ブロワファン２の一側側面に固設されたモータ取付板１３には、さらにその側面の後部下側位置において平板状の第二取付部材１４を固設している。一方フレーム１２の後部位置上面には、機体取付板３０が前記第二取付部材１４と平行かつ側面視で一部重なり合うよう上方に向けて突設され、該機体取付板３０には上下方向に案内溝３０ｄを形成している。また、フレーム１２の後部端面には機体取付板支持部材３４の一端が固設されて、該支持部材３４は上方斜めに延出されてその先端を機体取付板３０の後部に固設して、機体取付板３０を支持補強している。
【００２０】
そして、第二取付部材１４には、側面視で該機体取付板３０と重なる位置に外側に向けて水平に連結棒３１が植設され、該連結棒は前記機体取付板３０の案内溝３０ｄを挿通して外側へ突出して、該連結棒３１の先端においては外周面に雄ネジ部を形成する。一方、機体固定取手３２の軸心上に挿入孔を開口し、該挿入孔の内周面は該連結棒３１外周面の雄ネジと螺合する雌ネジを形成して、該挿入孔に連結棒３１の先端を螺装して固定することにより、第二取付部材１４と機体取付板３０とが連結した状態で固定される。
【００２１】
従って、図４に示すように、前記機体固定取手３２をネジが緩む方向に回転させると、第二取付部材１４に突設した前記連結棒３１が機体取付板３０の案内溝３０ｄに沿うように摺動可能となり、遠心式ブロワファン２のフレーム１２に対する取付角度を変更できることとなる。そして、遠心式ブロワファン２の取付角度が所望の角度となったときは、該機体固定取手３２を前記と逆方向に回転させれば、第二取付部材１４と機体取付板３０の二者は該機体固定取手３２の締め付けにより固定され、遠心式ブロワファン２はその所望の取付角度でフレーム１２に固定されるのである。
【００２２】
また、フレーム１２の後部端面の中央部分にはスタンド３５が固設されて鉛直下方に垂下され、電動ブロワ１の収納等のときには該スタンド３５の下端を地面に接触させてフレーム１２の後部を支持させて、該ブロワ１を収納場所に安定した状態で格納できるようにしている。なお、清掃作業等で電動ブロワ１を利用する際は、操作者がハンドル２１をわずかに持ち上げることにより、スタンド３５が地面から離れ、電動ブロワ１の自重はフレーム１２左右端の車輪１７・１７に作用することとなり、従って電動ブロワ１は前後方向に自由に移動させることができるのである。また、自転車等のスタンドの如く、ブロワ１を利用する際にはスタンドを跳ね上げることができるように構成し、ブロワ１の移動の際にスタンド３５が地面に擦れて作業の邪魔になるのを防止するようにすることもできる。
【００２３】
次に、ハンドル２１のレバー部分の構成について説明する。即ち、図２及び図３で示すように、前述したハンドル２１は略Ｕ字状に形成されており、該ハンドル２１の両端にはグリップ２６ａ・２６ｂ及びレバー２７ａ・２７ｂが取り付けられており、該レバー２７ａ・２７ｂにはそれぞれワイヤーの一端が取り付けられ、該レバー２７ａ・２７ｂを操作者が握ると該レバー２７ａ・２７ｂに取り付けられたワイヤーが引張られるように構成している。そして、それぞれのレバー２７ａ・２７ｂ近傍の位置から遠心式ブロワファン２の送風口７近傍までの間に細長いチューブ２９ａ・２９ｂが二本配設されており、前記二本のワイヤーは該チューブ２９ａ・２９ｂそれぞれの内部を挿通して遠心式ブロワファン２の送風口７近傍まで引き出される。
【００２４】
次に、ブロワパイプ部の構成について、図８を用いて説明する。即ち、遠心式ブロワファン２の送風口７をフレーム１２に固定する第一取付部材１０の上面には平板状の回動基部３６が固設され、該回動基部３６の上面には、チューブ支持部材３７が取り付けられている。該チューブ支持部材３７は、水平部３７ｈと垂直部３７ｖとを有する断面Ｌ字状に形成されており、水平部３７ｈにおいてはその下面を前記回動基部３６の上面に固設し、垂直部３６ｖは正面視左右両側部分を互いに対向するようわずかに斜めに曲げられて該左右両側部分に貫通孔が一ずつ開口されている。
【００２５】
そして、ハンドル２１の正面視左側に接続されたチューブ２９ａは前記垂直部の正面視左側の貫通孔に挿通され、ハンドルの正面視右側に接続されたチューブ２９ｂは前記垂直部の正面視右側の貫通孔に挿通され、それぞれのチューブ２９ａ・２９ｂの端部近傍はパイプ状の固定部材３８・３８を介して該垂直部３７ｖに固定されている。そして、チューブ２９ａ・２９ｂそれぞれの端部から引き出されたワイヤー２８ａ・２８ｂの先端には、リング状の連結体３９ａ・３９ｂをそれぞれ固設している。
【００２６】
回動基部３６は、チューブ支持部材３７より前方に延出されて、その先端において円板状の回動体４０をボルト軸４１により枢着している。そして、前記回動体４０にはボルト軸４１の左右側位置にそれぞれ円板状の突起４２ａ・４２ｂを設け、該突起４２ａ・４２ｂのそれぞれに鉛直上方に向けて係止軸４３ａ・４３ｂを突設して、左側の突起４２ａの係止軸４３ａは前記連結体３９ａ・３９ｂのうち左側のワイヤー２８ａ先端に固設された連結体３９ａのリング部分の中心を挿通し、右側の突起４２ｂの係止軸４３ｂは右側のワイヤー２８ｂ先端に固設された連結体３９ｂのリング部分の中心を挿通し、それぞれの係止軸４３ａ・４３ｂ上端において抜止ピン４４ａ・４４ｂを該係止軸に垂直に貫通して前記連結体３９ａ・３９ｂが抜けないように構成して、回動体４０と二本のワイヤー２８ａ・２８ｂを連結している。回動体４０のブロワ前方側端部には、細長い平板状の第一連結部材４５を固設してフレキシブルホース８の先端側端部近傍まで延出して、該第一連結部材４５の先端部近傍の下面には第二連結部材４６を枢着し、該第二連結部材４６はフレキシブルホース８の先端側端部を外嵌固定しているパイプ連結部４７の上面に固着されている。そして、該パイプ連結部４７には、吐出パイプ９が挿入固定されて、前記回動体４０が各連結部材４５・４６・４７を介して吐出パイプ９を連結する構成としている。
【００２７】
ハンドル２１とブロワパイプ部３を上記構成とすることにより、ハンドル２１の両端に設けられたレバー２７ａ・２７ｂのうち正面視左側のレバー２７ａを握ると、該レバー２７ａは該レバーに取り付けられているワイヤー２８ａに引張り力を作用させる。従って、該ワイヤー２８ａに連結体３９ａを介して接続されている回動体４０の左側突起上の係止軸４３ａは、該ワイヤー２８ａにより後方に引張られ、その結果回動体４０はボルト軸４１を軸心として先端側が左に向くように傾動し、この結果該回動体４０に連結部材４５・４６を介して連結された吐出パイプ９が先端側を左に向けるのである。また、ハンドル２１の正面視右側に位置するレバー２７ｂを握った場合は、逆に回動体４０の右側突起の係止軸４３ｂがワイヤー２８ｂにより後方に引張られて回動体４０は先端側が右に向くよう傾き、結果として吐出パイプ９は先端側を右に向ける。即ち、ハンドル２１の左右に設けられたレバー２７ａ・２７ｂのうちいずれかを握ることにより、ブロワパイプ部３全体の向きを左右に傾動操作できるように構成している。
【００２８】
【発明の効果】
本発明は以上の如く構成したので、次のような効果を奏するのである。
請求項１に示す如く、フレーム（１２）の左右中央に遠心式ブロワファン（２）を配置し、該遠心式ブロワファン（２）の一側部に電動モータ（５）を付設配置し、該遠心式ブロワファン（２）の他側部に吸引口を設け、該遠心式ブロワファン（２）の前方下側に送風口（７）を設け、該送風口（７）にはフレキシブルホース（８）の基部側端部が固設され、該フレキシブルホース（８）の先端側の端部においては吐出パイプ（９）を取付けてブロワパイプ部（３）を構成し、該フレーム（１２）に軸支部（１５・１５）を配置固定し、該軸支部（１５・１５）に車軸（１６）を架設枢支し、該フレーム（１２）の左右端部それぞれにおいて該車軸（１６）に車輪（１７・１７）を取り付け、前記遠心式ブロワファン（２）と左右の車輪（１７・１７）との間の２箇所のフレーム（１２）上に、２個のバッテリー（１８・１８）を載置し、該バッテリー（１８・１８）より前記電動モータ（５）に電力を供給するので、清掃作業時の騒音が低減され、排気ガスの発生もなく、作業者に快適な環境下での作業を提供できるのである。
また、前記ブロワ及びバッテリーをフレーム上に載置し、該フレームに車輪を設けたので、車輪によってブロワの自重を支持する構造となり、ブロワを手に持って作業する場合に比べてブロワの自重を作業者が支える必要がないので、作業者の疲労が低減できるのである。この効果は大出力のブロワのような自重の大きいブロワを用いた場合に特に顕著である。また、フレームに取り付けられた車輪によってブロワを自在に移動させることができ、庭等に広範囲に散らばっている落葉等も容易に吹き集めることができるのである。
【００２９】
請求項２に示す如く、請求項１記載の電動ブロワにおいて、前記遠心式ブロワファン（２）のフレーム（１２）に対する取付角度を変更して、該遠心式ブロワファン（２）をフレーム（１２）に対して上下回動可能に支持連結したので、地面に対するブロワの角度を容易に変更することができ、従って、ブロワファンの回転に基づいて生起された圧風が吐出パイプから吐出されて地面に当たる際の角度を調節することができる。このことにより、効率的に落葉等を吹き飛ばすことができ、かつ吹き飛ばされた落葉等が舞い上がったりしないような角度に該角度を適宜調節して、清掃作業の効率を高めることができる。
【００３０】
請求項３に示す如く、請求項１記載の電動ブロワにおいて、前記フレーム（１２）に操作ハンドル（２１）を設け、該操作ハンドル（２１）をフレーム（１２）に対して上下回動可能に支持連結し、前記遠心式ブロワファン（２）のブロワパイプ部（３）をフレーム（１２）に対して左右回動可能に支持連結し、一方前記操作ハンドル（２１）にレバーを設け、該レバーと該ブロワパイプ部（３）をワイヤーで連動連結したので、該ハンドルの操作によりブロワの位置や方向の変更を簡単に行うことができ、清掃作業時の作業性が向上するのである。
また、前記操作ハンドルをフレームに対して上下回動可能に支持連結したので、ハンドルの角度を自由に変更でき、グリップの上下位置が調整できるので、作業者それぞれに適したグリップ位置でブロワを使用することができ、ブロワの操作が容易となって作業時の疲労も軽減されるのである。
【００３１】
また、前記ブロワのブロワパイプをフレームに対して左右回動可能に支持連結し、一方前記操作ハンドルにレバーを設け、該レバーと該ブロワパイプをワイヤーで連動連結したので、ブロワ全体の向きを変えることなくレバーを握るだけでブロワのブロワパイプの角度を左右に揺動変更できるので、簡単な操作で左右広範囲の地面に圧風を当てて広い領域に散らばっている落葉を一掃でき、作業の一層の効率化が図られる。
【図面の簡単な説明】
【図１】  本発明の一実施例に係る電動ブロワの構成を示す側面図。
【図２】  同じく上面図。
【図３】  同じく正面図。
【図４】  ブロワ機体本体をフレームに固定する構成を示す説明図。
【図５】  ブロワ機体本体後部をフレーム後部に固定する構成を示す電動ブロワの後面一部切欠断面図。
【図６】  ハンドルの取付部分近傍の構成を示す斜視図。
【図７】  同じくハンドルの取付部分近傍の構成を示す正面一部切欠断面図。
【図８】  ブロワのブロワパイプ部の構成を示した上面図。
【符号の説明】
１  電動ブロワ
２  機体本体
３  ブロワパイプ部
５  電動モータ
６  カバー
８  フレキシブルホース
９  吐出パイプ
１２  フレーム
１７  車輪
２１  ハンドル
【図１】
0004031109.tif 000002
【図２】
0004031109.tif 000003
【図３】
0004031109.tif 000004
【図４】
0004031109.tif 000005
【図５】
0004031109.tif 000006
【図６】
0004031109.tif 000007
【図７】
0004031109.tif 000008
【図８】
0004031109.tif 000009